(57)【要約】【課題】口部から取り外したスクリューキャップが行方不明にならずに口部を再度閉塞することが確実にできるペットボトル容器を提供する。【解決手段】下端が底部１１により閉塞された有底略円筒形状の胴部１２と、この胴部１２の上側で上方に行くに従い縮径された肩部１３と、この肩部１３の上端に設けられた口部１４と、口部１４に一体的に設けられた雄ねじ１４１に螺合して当該口部１４を開閉可能に閉塞するスクリューキャップ１５とを備えたペットボトル容器１を前提とする。そして、肩部１３に、スクリューキャップ１５を嵌め込んで格納するキャップ格納部１７を凹設している。このキャップ格納部１７は、肩部１３の周方向で互いに対向する対向面部１７１，１７１を備え、この各対向面部１７１，１７１間でスクリューキャップ１５を嵌め込んだ状態に保持し、スクリューキャップ１５の格納が円滑に行えるようにしている。【選択図】図１
0003161319.tif 000002
【実用新案登録請求の範囲】
【請求項１】
下端が閉塞された有底筒状の胴部と、この胴部の上端から上方に行くに従い縮径する肩部と、この肩部の上端に設けられた口部と、この口部を開閉可能に閉塞するキャップとを備えたボトル容器であって、
前記肩部には、前記キャップを嵌め込んで格納するキャップ格納部が凹設されていることを特徴とするボトル容器。
【請求項２】
前記キャップ格納部は、前記肩部周囲の一側方及び上方にそれぞれ開口している請求項１に記載のボトル容器。
【考案の詳細な説明】
【技術分野】
【０００１】
本考案は、飲料水、調味料、薬剤又は洗剤などの流体を内部に充填するボトル容器に関する。
【背景技術】
【０００２】
一般に、この種ボトル容器としては、飲料水が内部に充填されたアルミニウム製のアルミボトル容器やポリエステル樹脂製のペットボトル容器などがあり、携帯が簡易であることから、外出時にも好みの飲料水のボトル容器をそのまま携行するといった傾向が広まっている。
そして、このようなボトル容器は、例えば特許文献１に示すように、下端が閉塞された有底筒状の胴部と、この胴部の上端から上方に行くに従い縮径する肩部と、この肩部の上端に設けられた口部と、この口部に着脱自在に装着されるキャップとを備えている。
【先行技術文献】
【特許文献】
【０００３】
【特許文献１】特開２００７−６９９３３号公報
【考案の概要】
【考案が解決しようとする課題】
【０００４】
ところで、飲料水が充填されたボトル容器にあっては、その内部から飲料水を飲む際に口部に装着したキャップを取り外す必要がある。その場合、取り外されたキャップは、その構造上、転がり易いものであるため、見失って行方不明になるおそれがあり、これでは、飲料水を飲み残していても口部を再度閉塞することができない。特に、携行時に口部を再度閉塞することができないと、飲み残した飲料水が口部から零れて周囲に迷惑が及んだり、口部からごみ等が入り込んで飲料水の品質が悪化してしまう。
【０００５】
また、調味料、薬剤又は洗剤などの流体（液体又は粉体）が充填されたボトル容器にあっても、その内部から内容物（流体）を注出する際に口部から取り外したキャップが転がり易いものであるため、このキャップを見失って行方不明になると、口部を再度閉塞することができず、内容物が常時大気に触れて品質が変化してしまうおそれがある。
【０００６】
本考案は、かかる点に鑑みてなされたものであり、その目的とするところは、口部から取り外したキャップが行方不明にならずに口部を再度閉塞することが確実にできるようにし、飲料水が充填されたボトル容器の携行時における周囲への迷惑や飲料水の品質悪化を防止し得るようにする一方、流体を充填したボトル容器の内容物の品質変化を防止し得るようにしたボトル容器を提供することにある。
【課題を解決するための手段】
【０００７】
上記目的を達成するため、本考案では、下端が閉塞された有底筒状の胴部と、この胴部の上端から上方に行くに従い縮径する肩部と、この肩部の上端に設けられた口部と、この口部を開閉可能に閉塞するキャップ部とを備えたボトル容器を前提とする。そして、前記肩部に、前記キャップを嵌め込んで格納するキャップ格納部を凹設することを特徴としている。
この特定事項により、ボトル容器の口部に装着されたキャップを取り外すと、その口部から取り外したキャップは、ボトル容器の肩部に凹設したキャップ格納部に嵌め込まれて格納されるので、取り外されたキャップが、その構造上、転がり易いものであっても、見失って行方不明になることがない。このため、飲料水が充填されたボトル容器の場合に携行時に飲み残した飲料水の口部からの零れによる周囲への迷惑や、口部から入り込んだごみ等による飲料水の品質悪化、又は、調味料、薬剤又は洗剤などの流体（液体又は粉体）が充填されたボトル容器の場合に常時大気に触れた内容物の品質変化を招かないように、キャップによる口部の再度の閉塞を確実に行うことが可能となる。
【０００８】
また、前記キャップ格納部は、前記肩部周囲の一側方及び上方にそれぞれ開口していることが好ましい。
この場合には、キャップは、ボトル容器のキャップ格納部に対し肩部周囲の一側方又は上方から嵌め込んで簡単に格納される一方、キャップ格納部から取り外す際にも肩部周囲の一側方及び上方の開口を利用して簡単に取り外される。これにより、キャップ格納部に対するキャップの着脱性を向上させることができる。
【考案の効果】
【０００９】
以上、要するに、ボトル容器の肩部に凹設したキャップ格納部に、口部から取り外したキャップを嵌め込んで格納することで、転がり易いキャップを行方不明にすることがなく、キャップによる口部の再度の閉塞を確実に行うことができる。
【図面の簡単な説明】
【００１０】
【図１】本考案に係るキャップを格納したキャップ格納部を正面から見たボトル容器の正面図である。
【図２】図１を上方から見たボトル容器の平面図である。
【図３】図１を左側方から見たボトル容器の左側面図である。
【図４】図３のボトル容器の上側部分の断面図である。
【考案を実施するための形態】
【００１１】
以下、添付図面を参照しながら、本考案の実施の形態について説明し、本考案の理解に供する。なお、以下の実施の形態は、本考案を具体化した一例であって、本考案の技術的範囲を限定する性格のものではない。
【００１２】
図１〜図３において、１は本考案の実施の形態に係るボトル容器としての飲料水を充填した飲料水用のペットボトル容器であって、このペットボトル容器１としては、５００ｍｌ用のものが適用されている。このペットボトル容器１は、ポリエステル樹脂であるポリエチレンテレフタレート（ＰＥＴ）のプリフォームを射出成形し、これを加熱昇温した後、延伸ブロー成形して得られるものである。そして、ペットボトル容器１は、下端が底部１１により閉塞された有底略円筒形状の胴部１２と、この胴部１２の上側で上方に行くに従い縮径された肩部１３と、この肩部１３の上端に設けられた口部１４とを備えている。また、ペットボトル容器１は、口部１４に一体的に設けられた雄ねじ１４１に螺合して当該口部１４を開閉可能に閉塞するキャップとしてのスクリューキャップ１５を備えている。このスクリューキャップ１５は、有底円筒形状に形成されている。更に、口部１４の雄ねじ１４１の下側には、サポートリング１６が嵌入されている。この場合、ペットボトル容器１の延伸ブロー成形時に、口部１４は未延伸とされ、底部１１、胴部１２及び肩部１３が延伸される。
【００１３】
前記底部１１には凹部１１１が設けられ、この凹部１１１によってペットボトル容器１が自立可能となっている。また、胴部１２の上部と下部とには、それぞれ内側に凹む環状の補強リブ１２１，１２２が設けられている。
【００１４】
そして、図４にも示すように、肩部１３には、前記スクリューキャップ１５を嵌め込んで格納するキャップ格納部１７が凹設されている。このキャップ格納部１７は、肩部１３の周方向で互いに対向する対向面部１７１，１７１と、その各対向面部１７１の内方端（図４では右端）を鉛直方向に連結する鉛直面部１７２と、前記各対向面部１７１の下端を略水平に連結する水平面部１７３とを備えている。この水平面部１７３の内方端は、前記鉛直面部１７２の下端に連結されている。また、前記各対向面部１７１は、互いに平行で鉛直方向へ延び、その外方端が肩部１３に則した形状に収束している。更に、前記鉛直面部１７２の上端及び前記水平面部１７３の外方端も、肩部１３に則した形状に収束している。そして、前記キャップ格納部１７は、その対向面部１７１，１７１同士の間の距離が前記スクリューキャップ１５の外径と略一致しており、対向面部１７１，１７１間でスクリューキャップ１５を嵌め込んだ状態に保持し、スクリューキャップ１５の格納が円滑に行えるようにしている。また、キャップ格納部１７は、その鉛直面部１７２と対向する肩部１３周囲の一側方（図４では左側方）に向けて開口しているとともに、水平面部１７３に対向する上方に向けて開口している。
【００１５】
したがって、本実施の形態では、ペットボトル容器１の口部１４の雄ねじ１４１に螺合して装着されたスクリューキャップ１５を取り外すと、その口部１４から取り外したスクリューキャップ１５は、ペットボトル容器１の肩部１３に凹設したキャップ格納部１７の対向面部１７１，１７１間に嵌め込まれて格納される。このため、取り外されたスクリューキャップ１５が、円筒形状となる構造上、転がり易いものであっても、見失って行方不明になることがない。これにより、飲料水が充填されたペットボトル容器１の携行時に飲み残した飲料水の口部１４からの零れによる周囲への迷惑や、口部１４から入り込んだごみ等による飲料水の品質悪化を招かないように、スクリューキャップ１５による口部１４の再度の閉塞を確実に行うことができる。
【００１６】
また、キャップ格納部１７が、その鉛直面部１７２と対向する肩部１３周囲の一側方に向けて開口しているとともに、水平面部１７３に対向する上方に向けて開口しているので、スクリューキャップ１５は、ペットボトル容器１のキャップ格納部１７に対し肩部１３周囲の一側方又は上方から嵌め込んで簡単に格納される一方、キャップ格納部１７から取り外す際にも肩部１３周囲の一側方及び上方の開口を利用して簡単に取り外される。これにより、キャップ格納部１７に対するスクリューキャップ１５の着脱性を向上させることができる。
【００１７】
なお、本考案は、前記実施の形態に限定されるものではなく、その他種々の変形例を包含している。例えば、前記実施の形態では、ボトル容器として、飲料水用のペットボトル容器１に適用した場合について述べたが、アルミニウム製のアルミボトル容器が適用されていてもよいのはいうまでもない。
【００１８】
また、前記実施の形態では、内部に飲料水を充填した飲料水用のペットボトル容器１に適用した場合について述べたが、調味料、薬剤又は洗剤などの流体（液体又は粉体）を内部に充填するボトル容器に適用してもよい。この場合、調味料、薬剤又は洗剤などの流体が充填されたボトル容器であっても、ボトル容器の口部から取り外したキャップは、ボトル容器の肩部に凹設したキャップ格納部に嵌め込まれて格納されるので、取り外したキャップが、その構造上、転がり易いものであっても、見失って行方不明になることがない。このため、常時大気に触れた内容物（流体）の品質変化を招かないように、キャップによる口部の再度の閉塞を確実に行うことが可能となる。
【００１９】
また、前記実施の形態では、５００ｍｌ用のペットボトル容器１に適用した場合について述べたが、１０００ｍｌや２０００ｍｌなどのペットボトル容器、又は調味料、薬剤又は洗剤などの流体に適した形状のボトル容器に適用してもよい。
【符号の説明】
【００２０】
１      ペットボトル容器（ボトル容器）
１２    胴部
１３    肩部
１４    口部
１５    スクリューキャップ（キャップ）
１７    キャップ格納部
【図１】
0003161319.tif 000003
【図２】
0003161319.tif 000004
【図３】
0003161319.tif 000005
【図４】
0003161319.tif 000006